(57)【要約】【課題】  複数画面表示を実現できる商品販売データ処理装置のローコスト化／省スペース化を実現する。【解決手段】  ホットプラグ（活線挿抜：装置の電源がＯＮのままケーブルを抜挿しできる）機能に対応したＤＶＩ端子４からの信号により、表示装置Ａ，Ｂ，Ｃの何れか１つがＤＶＩ端子４に接続されているか否かの識別と、接続されている表示装置Ａ，Ｂ，Ｃの種類の識別とがなされ、識別された表示装置Ａ，Ｂ，Ｃの種類に応じてアプリケーションを切り替える。これにより、１台の商品販売データ処理装置１で複数の表示装置Ａ，Ｂ，Ｃを擬似的に表示することができ、商品販売データ処理装置１をＯＦＦ／ＯＮせずに商品の販売登録処理を実行するためのメニュー画面と拡販表示等をスムーズに切り替えて使用することができるので、複数画面表示を実現できる商品販売データ処理装置１のローコスト化／省スペース化を実現することができる。【選択図】    図１
2006139660.tif 000002
【特許請求の範囲】
【請求項１】
商品販売登録処理を実行する商品販売データ処理装置において、
複数の表示装置と、
前記各表示装置を接続可能とし、接続端子からの信号により、前記表示装置が前記接続端子に接続されているか否かを識別する手段と、
前記接続端子に前記表示装置が接続されていると判断した場合、前記接続端子からの信号により、当該表示装置の種類を識別する手段と、
識別された前記表示装置の種類に応じてアプリケーションを切り替える手段と、
を備えることを特徴とする商品販売データ処理装置。
【請求項２】
前記接続端子に対する前記表示装置の切り換えが可能な状態であるか否かを判断する手段と、
前記接続端子に対する前記表示装置の切り換えの可否を報知する手段と、
を備えることを特徴とする請求項１記載の商品販売データ処理装置。
【請求項３】
キャッシャが商品販売登録処理を実行するためのメニュー画面等を表示する商品販売登録用の前記表示装置以外の前記表示装置が前記接続端子に接続された場合、商品販売登録処理に係る操作を無効にする、
ことを特徴とする請求項１または２記載の商品販売データ処理装置。
【請求項４】
商品販売登録処理中に商品販売登録用の前記表示装置が前記接続端子から外された場合、商品販売登録処理に係る操作を無効にする、
ことを特徴とする請求項１または２記載の商品販売データ処理装置。
【請求項５】
商品販売登録処理中に商品販売登録用の前記表示装置が前記接続端子から外された場合、商品販売登録用の前記表示装置が前記接続端子から外された旨を報知する、
ことを特徴とする請求項１ないし３のいずれか一記載の商品販売データ処理装置。
【請求項６】
前記接続端子に接続された前記表示装置に応じて、解像度や色数を変更して表示する、
ことを特徴とする請求項１ないし５のいずれか一記載の商品販売データ処理装置。
【請求項７】
前記接続端子に接続された前記表示装置に対応する前記アプリケーションに応じて、解像度や色数を変更して表示する、
ことを特徴とする請求項１ないし６のいずれか一記載の商品販売データ処理装置。
【発明の詳細な説明】
【技術分野】
【０００１】
本発明は、ファミリーレストラン／ファーストフード店等で使用されるＰＯＳ（Point of Sales：販売時点情報管理）端末等の商品販売データ処理装置に関する。
【背景技術】
【０００２】
従来、ファミリーレストラン／ファーストフード店等で使用されるＰＯＳ端末等の商品販売データ処理装置においては、一般に、キャッシャが商品の販売登録をするためのメニュー画面等を表示する表示装置と、客に対して拡販用動画のＣＭ等を表示する客側表示装置の２画面で構成されている。
【０００３】
このような商品販売データ処理装置においては、一般的に、コンピュータ側にデジタルデータとして蓄えた画面情報をアナログ信号に変換して表示装置（客側表示装置）に送出している。このような商品販売データ処理装置に用いられるインタフェースの多くは、抜き挿しが不可能なアナログＲＧＢ及びＬＶＤＳインタフェースである。
【０００４】
近年、コンピュータと表示装置とを接続するためのインタフェース規格の１つとして、ＤＶＩ（Digital Visual Interface）というデジタル接続規格が規格化されている（特許文献１参照）。このＤＶＩは、液晶ディスプレイなどのデジタル駆動の表示装置に対して、コンピュータから直接デジタル信号を送ることができるようにしたインタフェースである。このようなＤＶＩによれば、変換による信号の劣化がなくなり、画質が向上するという特徴がある。
【０００５】
また、ＤＶＩ規格の表示装置の中には、ホットプラグ（活線挿抜：機器の電源がＯＮのままケーブルを抜挿しできる）機能に対応しているものもあり、コンピュータの立ち上げ後に接続可能となっている。
【０００６】
【特許文献１】特開２００２−１６９５３２公報
【発明の開示】
【発明が解決しようとする課題】
【０００７】
ところで、上述したような２画面で構成されている商品販売データ処理装置において、ＤＶＩ端子を用いて２画面表示を実現するためには、２つのＤＶＩポートを持たなければならない。このように２つのＤＶＩポートを持つようにした場合には、製造コストがアップするとともに、商品販売データ処理装置の装置本体も大きくなってしまうという問題がある。
【０００８】
本発明は、複数画面表示を実現できる商品販売データ処理装置のローコスト化／省スペース化を実現することを目的とする。
【課題を解決するための手段】
【０００９】
本発明の商品販売データ処理装置は、商品販売登録処理を実行する商品販売データ処理装置において、複数の表示装置と、前記各表示装置を接続可能とし、接続端子からの信号により、前記表示装置が前記接続端子に接続されているか否かを識別する手段と、前記接続端子に前記表示装置が接続されていると判断した場合、前記接続端子からの信号により、当該表示装置の種類を識別する手段と、識別された前記表示装置の種類に応じてアプリケーションを切り替える手段と、を備える。
【発明の効果】
【００１０】
本発明によれば、１台の商品販売データ処理装置で複数の表示装置を擬似的に表示することができ、商品販売データ処理装置をＯＦＦ／ＯＮせずに商品の販売登録処理を実行するためのメニュー画面と拡販表示等をスムーズに切り替えて使用することができるので、複数画面表示を実現できる商品販売データ処理装置のローコスト化／省スペース化を実現することができる。
【発明を実施するための最良の形態】
【００１１】
本発明の実施の一形態を図１ないし図４に基づいて説明する。本実施の形態の商品販売データ処理装置は、ファミリーレストラン／ファーストフード店等で使用するＰＯＳ（Point of Sales：販売時点情報管理）端末に適用した一例である。
【００１２】
図１は、本実施の形態のＰＯＳ端末１を概略的に示す構成図である。図１に示すように、ＰＯＳ端末１は、ドロワ２上に載置されている。このＰＯＳ端末１には、各種のキーが集合するキーボード３、接続端子であるＤＶＩ（Digital Visual Interface）端子４、レシートを印字発行するプリンタ５、磁気カードを読み取る磁気カードリーダ６、ＰＯＳ端末１の処理モードの切り替えを行なうためのコントロールキー７が設けられている。また、このＰＯＳ端末１には、商品に付される商品コードを光学的に読み取るためのバーコードスキャナ８が接続されている。
【００１３】
このＰＯＳ端末１に設けられているＤＶＩ端子４には、キャッシャが商品の販売登録処理を実行するためのメニュー画面等を表示する商品販売登録用の表示装置であるモニタＡと、ＰＯＳ端末１が載置されるレジ台やドライブスルー窓口等に設置されて客に対して拡販用動画のＣＭ等を表示する表示装置であるモニタＢと、客席の壁等に設置されてテレビ番組等を表示する表示装置であるモニタＣとが、選択的に接続可能な構成になっている。これらのＤＶＩ規格のモニタＡ，Ｂ，Ｃは、ホットプラグ（活線挿抜：機器の電源がＯＮのままケーブルを抜挿しできる）機能に対応しており、ＰＯＳ端末１の立ち上げ後においても抜き挿し可能となっている。
【００１４】
次に、ＰＯＳ端末１に備えられる各部の電気的接続を図２に基づいて説明する。図２に示すように、このＰＯＳ端末１は、制御手段として機能するマイクロコンピュータ（以下、マイコンという。）１０を内蔵し、このマイコン１０が、前述したドロワ２、キーボード３、ＤＶＩ端子４、プリンタ５、磁気カードリーダ６、コントロールキー７、バーコードスキャナ８等の各部をバスライン１１と各種制御回路（図示せず）とを介して駆動制御する。マイコン１０は、各部を集中的に制御するＣＰＵ（Central Processing Unit）１２にバスライン１１を介して、起動プログラム等の固定的データを予め格納する記憶媒体であるＲＯＭ（Read Only Memory）１３と可変的なデータを書き換え自在に格納するＲＡＭ（Random Access Memory）１４とを接続することにより構成されている。
【００１５】
また、マイコン１０にはバスライン１１を介してＨＤＤ（Hard Disk Drive）１５が接続されており、このＨＤＤ１５には、マイコン１０を動作させる制御プログラムや商品マスタファイル、売上登録に係る売上情報を記憶保持する売上ファイル、顧客ファイル等が格納されている。
【００１６】
ここで、ＰＯＳ端末１に内蔵されたＨＤＤ１５に格納された制御プログラムがマイコン１０に実行させる機能の内、商品の販売に係る処理動作について簡単に説明する。例えば、商品に付された商品コードのバーコードスキャナ８による読み取りやキーボード３からのキー入力があると、マイコン１０は読み取った商品コードやキーに割り付けられた商品コードに基づいて商品マスタファイルを検索し、該当する商品コードに対応した商品名や単価等を読み出し、商品コード、商品名、単価等に基づいて商品販売登録処理するとともに、部門別登録やＤＶＩ端子４に接続されたモニタＡへの表示、またプリンタ５によりレシート印字出力を行い、さらに登録した商品販売登録データを売上ファイルに累計する。
【００１７】
このような構成の下、ＰＯＳ端末１に内蔵されたＨＤＤ１５に格納された制御プログラムがマイコン１０に実行させる機能について説明する。
【００１８】
まず、マイコン１０は、ＤＶＩ規格のモニタＡ，Ｂ，Ｃのホットプラグ機能に対応すべく、ＨＤＤ１５に格納された制御プログラムに従うことで、ＤＶＩ端子４からの信号によりＤＶＩモニタ（モニタＡ，Ｂ，Ｃ）がＤＶＩ端子４に接続されているか否かを識別することができる手段と、ＤＶＩ端子４からの信号によりＤＶＩ端子４に接続されているモニタの種類を識別することができる手段と実現する。詳細な内容については、ホットプラグ機能として周知技術であるので、その説明は省略する。
【００１９】
次に、ＰＯＳ端末１が有する特長的な機能であるモニタ切替処理について説明する。ここで、図３は本実施の形態のＰＯＳ端末１が有する特長的な機能であるモニタ切替処理の流れを示すフローチャートである。図３に示すように、マイコン１０は、モニタがＤＶＩ端子４から外されたと判断した場合には（ステップＳ１のＹ）、ＤＶＩ端子４に対するモニタの抜き挿しが可能な状態であるか、不可能な状態であるかを判断する（ステップＳ２）。ここで、ＤＶＩ端子４に対するモニタの抜き挿しが不可な状態とは、例えば商品販売登録処理中などの場合である。
【００２０】
なお、商品販売登録中などのモニタの抜き挿しが不可能な状態の時は、モニタの背景の色を変えたり、「モニタ替え不可」等の文字をモニタに表示して、商品販売登録中などのモニタの抜き挿しが不可能な状態であることを報知するようにしても良い。また、モニタの抜き挿しが可能な状態の時は、モニタの背景の色を変えたり、「モニタ替え可能」等の文字をモニタに表示して、モニタの抜き挿しが可能な状態であることを報知するようにしても良い。
【００２１】
マイコン１０は、ＤＶＩ端子４に対するモニタの抜き挿しが不可能な状態の時にモニタが外されたと判断した場合（例えば、商品販売登録処理中のようにモニタの抜き挿しが不可能な状態である場合に、商品販売登録用のモニタＡが誤って外されたと判断した場合）には（ステップＳ２のＮ）、「商品販売登録中です。登録画面用のモニタを接続してください。」等の音声を再生して商品販売登録用のモニタＡを接続するように注意勧告するとともに、キー入力、バーコード入力等の商品販売登録処理に係わる操作を無効にし、誤入力／誤登録されないようにする（ステップＳ３）。
【００２２】
その後、マイコン１０は、ＤＶＩ端子４にモニタが接続されたことを認識すると（ステップＳ４のＹ）、接続されたモニタが商品販売登録用のモニタＡであるか否かを判断する（ステップＳ５）。
【００２３】
ＤＶＩ端子４に接続されたモニタが商品販売登録用のモニタＡでないと判断した場合は（ステップＳ５のＮ）、「商品販売登録用のモニタが接続されていません」等の商品販売登録用のモニタでない旨を音声により報知する（ステップＳ６）。
【００２４】
ＤＶＩ端子４に接続されたモニタが商品販売登録用のモニタＡが再度接続されたと判断した場合には（ステップＳ５のＹ）、キー入力、バーコード入力等の商品販売登録処理に係わる操作を有効にし、商品販売登録処理が実行可能な状態にして（ステップＳ７）、処理を終了する。
【００２５】
一方、マイコン１０は、ＤＶＩ端子４に対するモニタの抜き挿しが可能な状態の時にモニタが外されたと判断した場合には（ステップＳ２のＹ）、「モニタが外されました。任意のモニタを接続してください。」等の音声（ガイド音声）を再生するとともに、キー入力、バーコード入力等の商品販売登録処理に係わる操作を無効にし、誤入力／誤登録されないようにする（ステップＳ８）。
【００２６】
その後、マイコン１０は、ＤＶＩ端子４にモニタが接続されたことを認識すると（ステップＳ９のＹ）、ＤＶＩ端子４に接続されたモニタが商品販売登録用のモニタＡ、拡販動画再生用のモニタＢ、テレビ番組等を表示するモニタＣのうちのどれであるかを判断する（ステップＳ１０）。
【００２７】
マイコン１０は、ＤＶＩ端子４に接続されたモニタ（商品販売登録用のモニタＡ、拡販動画再生用のモニタＢ、テレビ番組等を表示するモニタＣ）を認識した場合には（ステップＳ１０）、各表示に必要なアプリケーションを起動させる（ステップＳ１１、ステップＳ１２、ステップＳ１３）。また、マイコン１０は、ＤＶＩ端子４に接続されたモニタから取得した情報を元に、モニタやアプリケーションに適した解像度や色数に変更して表示する（ステップＳ１１、ステップＳ１２、ステップＳ１３）。
【００２８】
このように本実施の形態によれば、ホットプラグ（活線挿抜：装置の電源がＯＮのままケーブルを抜挿しできる）機能に対応したＤＶＩ端子４からの信号により、モニタＡ、モニタＢ、モニタＣの何れか１つがＤＶＩ端子４に接続されているか否かの識別と、接続されている表示装置（モニタＡ、モニタＢ、モニタＣ）の種類の識別とがなされ、識別された表示装置（モニタＡ、モニタＢ、モニタＣ）の種類に応じてアプリケーションが切り替えられる。これにより、１台のＰＯＳ端末１で複数の表示装置（モニタＡ、モニタＢ、モニタＣ）を擬似的に表示することができ、ＰＯＳ端末１をＯＦＦ／ＯＮせずに商品の販売登録処理を実行するためのメニュー画面と拡販表示等をスムーズに切り替えて使用することができるので、複数画面表示を実現できるＰＯＳ端末１のローコスト化／省スペース化を実現することができる。
【００２９】
なお、本実施の形態のおいては、ＰＯＳ端末１のＤＶＩ端子４に対してモニタＡ、モニタＢ、モニタＣを抜き挿しするようにしたが、図４に示すように、ＤＶＩモニタに対応したモニタ分配器２０を用いて、ＰＯＳ端末１からの出力をモニタＡ、モニタＢ、モニタＣの何れか１つに出力するようにしても良い。
【図面の簡単な説明】
【００３０】
【図１】本発明の実施の一形態のＰＯＳ端末を概略的に示す構成図である。
【図２】ＰＯＳ端末に備えられる各部の電気的接続を示すブロック図である。
【図３】モニタ切替処理の流れを示すフローチャートである。
【図４】ＰＯＳ端末の変形例を概略的に示す構成図である。
【符号の説明】
【００３１】
１…商品販売データ処理装置、４…接続端子、Ａ，Ｂ，Ｃ…表示装置
【図１】
2006139660.tif 000003
【図２】
2006139660.tif 000004
【図３】
2006139660.tif 000005
【図４】
2006139660.tif 000006